(57)【要約】      （修正有）【課題】単にアクセサリーを保持するのみならず、アクセサリーの周りをエアーによって膨らんだ立体的な造形により装飾することで従来にはない外観を呈することができるアクセサリーホルダーを提供する。【解決手段】アクセサリー０１０３を保持するための保持部０１０１と、アクセサリーの外観を露呈させつつ保持部の外縁の一部又は全部に沿って配置されエアーで膨らませることが可能なエアー膨張部０１０２と、を有する。【選択図】図１
0003209770.tif 000002
【実用新案登録請求の範囲】
【請求項１】
アクセサリーを保持するための保持部と、
アクセサリーの外観を露呈させつつ保持部の外縁の一部又は全部に沿って配置されるとともにエアーで膨らませることが可能なエアー膨張部と、
を有するアクセサリーホルダー。
【請求項２】
エアー膨張部がエアーで膨張した場合に、エアー膨張部を下にして平面に載置した場合に、アクセサリーがエアー膨張部に支えられて平面に直接接触しないように構成された請求項１に記載のアクセサリーホルダー。
【請求項３】
前記保持部は、アクセサリーの外観を透明部材でカバーして保持するカバー保持手段を有する請求項１又は２に記載のアクセサリーホルダー。
【請求項４】
前記エアー膨張部は、装飾対象に係止可能な係止部を有する請求項１から３のいずれか一に記載のアクセサリーホルダー。
【請求項５】
カードを保持するための保持部と、
カードの外観を露呈させつつ保持部の外縁の一部又は全部に沿って配置されるとともにエアーで膨らませることが可能なエアー膨張部と、
を有するカードホルダー。
【請求項６】
エアー膨張部がエアーで膨張した場合に、エアー膨張部を下にして平面に載置した場合に、カードの主面がエアー膨張部に支えられて平面に直接接触しないように構成された請求項５に記載のカードホルダー。
【請求項７】
前記保持部は、カードの主面の外観を透明部材でカバーして保持するカバー保持手段を有する請求項５又は６に記載のカードホルダー。
【請求項８】
前記エアー膨張部は、被着対象に係止可能な係止部を有する請求項５から７のいずれか一に記載のカードホルダー。
【考案の詳細な説明】
【技術分野】
【０００１】
本考案は、いわゆる缶バッジなどのアクセサリーを保持するアクセサリーホルダーに関するものであり、エアーを封入して膨らませることでより立体的な外観を呈するアクセサリーホルダーに関する。
【背景技術】
【０００２】
従来から缶バッジやメダルなどの板状のアクセサリーを保持するためのアクセサリーホルダーが存在する。例えば、特許文献１に開示のアクセサリーホルダーは、バッジの外縁部を挟んで保持するための環状のアクセサリーホルダーである。
【先行技術文献】
【特許文献】
【０００３】
【特許文献１】特開２０１６−６４００４号公報
【考案の概要】
【考案が解決しようとする課題】
【０００４】
特許文献１に記載されているアクセサリーホルダーをはじめとして従来のアクセサリーホルダーは、バッジなどの板状体を保持するとともにバッジなどと一体的な外観を呈することを意図したためか、いずれも平板な外観となっており目新しさがないという問題がある。
【課題を解決するための手段】
【０００５】
以上の課題を解決するため、アクセサリーを保持するための保持部と、アクセサリーの外観を露呈させつつ保持部の外縁の一部又は全部に沿って配置されるとともにエアーで膨らませることが可能なエアー膨張部と、を有するアクセサリーホルダーなどを提供する。
【考案の効果】
【０００６】
本考案によれば、単にアクセサリーを保持するのみならず、アクセサリーの周りをエアーによって膨らんだ立体的な造形により装飾することで従来にはない外観を呈することができる。
【図面の簡単な説明】
【０００７】
【図１】アクセサリーホルダーの一例を示す概念図
【図２】アクセサリーホルダーの一例を示す概念図
【図３】アクセサリーを保持したアクセサリーホルダーの一例を示す概念図
【図４】アクセサリーを保持したアクセサリーホルダーの一例を示す概念図
【図５】アクセサリーホルダーの他の例を示す概念図
【図６】アクセサリーホルダーを平面に載置した状態の横断面の概念図
【考案を実施するための最良の形態】
【０００８】
以下に本考案の実施例を説明する。なお、本考案はこれらの実施例に限定されるものではなく、その要旨を逸脱しない範囲において、種々なる態様で実施し得る。
＜実施例１＞
＜構成＞
【０００９】
図１は、本実施例におけるアクセサリーホルダーの一例を示す概念図である。図示するように、アクセサリーホルダー０１００は、アクセサリー（缶バッジ０１０３）を保持するためのホルダーであり、保持部０１０１と、その外縁に沿って配置されるエアー膨張部０１０２と、を有している。
【００１０】
図示するように、保持部はアクセサリーを保持する機能を有し、アクセサリーホルダーの央部に略円形に配置されており、円形のアクセサリー、例えば円形の缶バッジやメダルなどを保持することを想定して形成されている。もちろん、保持部の形状は円形に限られるものではなく、楕円や多角形であってよく、また、諸々の寸法のアクセサリーを保持できるように保持対象として想定されるアクセサリーの寸法よりも大きめの面積を有するように構成してもよい。
【００１１】
そして、保持部は塩化ビニールなどの透明な合成樹脂により形成され、アクセサリーを保持した状態でそのアクセサリーの外観をカバーして保持するように構成されている。このような構成をカバー保持手段という。カバー保持手段を有さない保持部については後述する。保持部がカバー保持手段を有することにより、アクセサリーの表面を損傷などから保護することができる。
【００１２】
図２は、図１に示したアクセサリーホルダーを背面方向から示した概念図である。図示するように、アクセサリーホルダー０２００の背面側において保持部０２０１は円形の一部に間隙０２０３が設けられており、その間隙からアクセサリーを挿入することで保持部に保持されるように構成されている。
【００１３】
エアー膨張部０２０２は、アクセサリーの外観を露呈させつつ保持部の外縁の一部又は全部に沿って配置されるとともにエアーで膨らませることが可能である。エアーで膨らむということはエアー膨張部がいわゆる風船のような状態となるということである。本図においては、保持部の外縁の全部に沿って配置され、エアーにより星型あるいは花型に膨らむことが可能になっている。また、エアー膨張部の輪郭をハート型とし、その央部に保持部が位置するように構成してもよい。
【００１４】
エアー膨張部はエアーにより膨らむことが求められるため、ある程度柔軟な樹脂、例えば塩化ビニールなどを素材とすることが好ましい。また、図示したような星型あるいは花型のように保持部の外縁の全部に沿って配置される場合の他にも、例えばバナナのような半円型に形成して保持部の外縁の一部に沿って配置されるように構成してもよい。
【００１５】
そして、図示するように、エアー膨張部にエアーを注入し膨らませて封止するためのエアー注入口０２０４が備わる。エアー注入口は、浮き輪などにエアーを入れて膨らませるために備わる逆止弁のように構成される。これによりエアー膨張部はエアーにより膨らんだ状態を維持することができる。
【００１６】
このようにエアーにより膨らんだエアー膨張部は、アクセサリーホルダーに立体的かつ柔軟な造形と軽やかな印象を付与することになり、従来の平板かつ硬質なアクセサリーホルダーとは異なる新鮮な外観を呈するという効果がある。
【００１７】
また、膨らんだエアー膨張部はクッションの役割を果たし、アクセサリーホルダーが落下するなどして衝撃を受ける場合にも、保持されるアクセサリーに衝撃が直接伝わらず損傷を防止することができる。
【００１８】
図３及び図４は、図１及び図２で示したアクセサリーホルダーにアクセサリーを保持した態様を示す概念図である。図１及び図２と同様に、図３は正面方向からの斜視図であり、図４は背面方向からの斜視図である。
【００１９】
図３に示すように、アクセサリーホルダー０３００の保持部０３０１に缶バッジ０３０２が保持されており、キャラクターが描かれている缶バッジの表面は透明なカバー越しに視認できる態様となっている。
【００２０】
ここで、図においてエアー膨張部は特段の意匠を施していないが、保持されるアクセサリーの意匠に応じた意匠をプリントなどにより施すことで、エアー膨張部の意匠とアクセサリーの意匠とが相まって意匠効果を奏するように構成してもよい。
【００２１】
図４に示すように、アクセサリーホルダー０４００の保持部０４０１に保持される缶バッジ０４０３には、衣服やバッグなどの装飾対象に缶バッジを係止するための安全ピン０４０４が備わる。なお、アクセサリーに備わる係止のための手段は、安全ピンの他にスクリューピン、バタフライピン、タイタックピンなどの各種留め具があり得る。
【００２２】
そして、保持部には缶バッジを挿入して保持するための間隙０４０２が備わり、この間隙により安全ピンは保持状態でも露出しているためアクセサリーに備わる係止機能は妨げられることはなく、アクセサリーホルダーに保持された状態で露出した安全ピンにより装飾対象に係止することが可能である。なお、係止機能確保の観点から、安全ピンのすべてが露出する必要はなく、装飾対象に挿通するピンとピン先を収納する留め金が露出していればよい。
【００２３】
図５は、アクセサリーホルダーの他の例を示す概念図である。図示するように、本例におけるアクセサリーホルダー０５００は、保持部０５０１が底の浅い穴のように形成されており、穴の側壁０５０２がアクセサリーの周縁を囲繞して保持するように構成される。すなわち、アクササリーの保持はこの保持部にアクセサリーをはめ込むことによってなされる。保持されたアクセサリーが簡単に脱落等しないように、保持することが想定されるアクセサリーの外径よりもやや小さな内径の穴を保持部として形成することが好ましい。
【００２４】
本例の保持部は、アクセサリーに備わる安全ピンなどの係止機能を担保する構成はないが、例えば、保持部の底の一部に間隙を設けることでその間隙から安全ピンをアクセサリーホルダーの外側に出すように構成することで、その係止機能を妨げずにすむ。
【００２５】
また、本図のエアー膨張部には、アクセサリーホルダー自身を装飾対象に係止可能とするための係止口０５０２を有している。この係止口のような手段を係止部という。この係止部に紐やリングなどを通し、あるいはピンなどの留め具をさらに接続して、衣服やバッグなどにアクセサリーホルダーを係止することができる。
【００２６】
保持するアクセサリーが安全ピンなどの留め具を有し、さらにエアー膨張部が係止部を有する場合には、安全ピンにより衣服に着けたり、係止部によりバックに吊り下げたりといったように様々な態様で装飾を楽しむことができる。
【００２７】
図６は、アクセサリーホルダーを平面に載置した状態の横断面の概念図である。本例においては、説明の便宜のため厚みが概ね一定のドーナツ型のエアー膨張部を有するアクセサリーホルダーを用いる。
【００２８】
図示するように、膨張しているエアー膨張部０６０２を下にして平面０６０４に載置した場合、保持部０６０１に保持されているアクセサリー０６０３はエアー膨張部に支えられることで平面に直接接触しないように構成されている。図示するようにエアー膨張部の厚さを保持部の厚みより厚くし、保持部の配置をエアー膨張部の厚みの範囲内に収まるように構成することで、平面に直に接することがない。なお、エアー膨張部の厚みは一定である場合に限定されない。
＜効果＞
【００２９】
本実施例におけるアクセサリーホルダーによれば、立体的かつ柔軟な造形と軽やかな印象を付与することになり、従来の平板かつ硬質なアクセサリーホルダーとは異なる新鮮な外観を呈するという効果がある。
【００３０】
また、膨らんだエアー膨張部によりアクセサリーホルダーが落下するなどして衝撃を受ける場合にも、保持されるアクセサリーに衝撃が直接伝わらず損傷を防止することができる。
＜実施例２＞
【００３１】
本発明のアクセサリーホルダーは、保持対象であるアクセサリーをカードに代えることによりカードホルダーとしても構成することができる。従来のカードホルダーは、提示したり、電子的又は磁気的な読み取り装置に読み取らせ又はかざしたりといったカードの利用態様を鑑み、カードの外観が露呈されるように保持するとともにカードの損傷防止機能を果たすことが重要な機能であった。そのため、カードホルダーはカードを内包可能なカード型の薄いケース状の形態を採用しているものばかりで、外観として目新しさがないという問題が、アクセサリーホルダーと同様にある。
【００３２】
そこで、上述した実施例１におけるアクセサリーホルダーについて、保持部が保持する対象となるアクセサリーに代えてカードとすることで、上記の問題を解決することができるカードホルダーを提供することができる。
【００３３】
すなわち、カードを保持するための保持部と、カードの外観を露呈させつつ保持部の外縁の一部又は全部に沿って配置されるとともにエアーで膨らませることが可能なエアー膨張部と、を有するカードホルダーを提供することができる。
【００３４】
この構成におけるカードは、紙片状のいわゆるカードに加え、公共交通機関の乗車カードや電子マネー、社員証や学生証などの種々な機能を果たすＩＣカードも含まれるものとする。また、保持部及びエアー膨張部は、実施例１における保持部及びエアー膨張部と同様の機能を果たす。
【００３５】
かかる構成により、立体的かつ柔軟な造形と軽やかな印象を付与することになり、従来の平板かつ硬質なカードホルダーとは異なる新鮮な外観を呈するという効果がある。
【符号の説明】
【００３６】
０１００  アクセサリーホルダー
０１０１  保持部
０１０２  エアー膨張部
０１０３  缶バッジ
０２００  アクセサリーホルダー
０２０１  保持部
０２０２  エアー膨張部
０２０３  間隙
０２０４  エアー注入口
【図１】
0003209770.tif 000003
【図２】
0003209770.tif 000004
【図３】
0003209770.tif 000005
【図４】
0003209770.tif 000006
【図５】
0003209770.tif 000007
【図６】
0003209770.tif 000008